(57)【特許請求の範囲】
【請求項１】
１または複数の開閉部を有し、錠剤を収納する収納部と、
前記開閉部の開閉を検知する検知部と、
外部端末に前記検知部の検知結果を送信する通信部と、
外部端末からの設定情報を記録する記録部と、
時計と、を含み、
前記時計の情報が前記設定情報に記録されている設定時間に到達した場合に、前記検知部は、前記設定情報に記録されている個数に対応する個数の前記開閉部が開閉されたか否かを判定し、
前記個数の前記開閉部が開閉されていないと判定された場合には、前記通信部が外部端末に警告を報知し、その後、前記検知部が前記個数の前記開閉部が開閉されたか否かの判定を繰り返す、
収納容器。
【請求項２】
前記検知部は、ＲＦＩＤまたはＩＣタグからなる、請求項１に記載の収納容器。
【請求項３】
請求項１または２に記載の収納容器と、
前記収納容器の前記通信部と通信する通信部および前記検知結果を報知する報知部を含む外部端末と、を含む、開閉報知付き収納容器セット。
【請求項４】
前記報知部は、前記収納容器と所定の距離以上離れた場合に報知する請求項３記載の開閉報知付き収納容器セット。
【請求項５】
前記報知部は、前記収納容器の設定情報に応じて警告報知を行う、請求項３または４記載の開閉報知付き収納容器セット。
【発明の詳細な説明】
【技術分野】
【０００１】
本発明は、収納容器および開閉報知付き収納容器セットに関する。
【背景技術】
【０００２】
従来から、ピル等の定期的に服用する必要がある錠剤は、当該錠剤を入れるケースが用いられている。その代表として、ピルケースまたは錠剤ケース等が用いられている。
【０００３】
例えば、特許文献１（特開２０１２―１７８０１３号公報）には所持者に心臓病の発作などの緊急事態が生したときに、第３者に緊急事態が発生したこと等を知らせることが可能な、緊急警報機能を備えた薬剤収納ケースについて開示されている。
【０００４】
特許文献１記載の薬剤収納ケースは、表面部と裏面部とからなるケース本体と、当該ケースを吊り下げるための孔が設けられた吊り下げ部と、ケース本体に内蔵された緊急警報装置とを含む、緊急警報機能を備えた薬剤収納ケースであって、表面または裏面の少なくともいずれかの面と緊急警報装置との間に、薬剤収納スペースが設けられており、緊急警報装置は、吊り下げ部が設定値以上の力で引っ張られたことを検知した場合に、緊急警報機能をオンとするオン・オフ制御手段と、緊急警報情報を記憶する記憶手段と、オン・オフ制御手段によって緊急警報機能がオンされた場合に、緊急警報情報を音によって外部に出力する出力手段と、を具備するものである。
【０００５】
また、特許文献２（特開２００２−１８２８２８号公報）には、携帯型電子機器を見た者が見苦しさを感じる事態を低減することができ、携帯型電子機器のキーボードの操作性を向上させることができ、そして携帯型電子機器の外観を大幅に変更することなく駆動時間を延長することができる携帯型電子機器について開示されている。
【０００６】
特許文献２記載の携帯型電子機器は、キーボードと、キーボードの操作に応じて変化する操作情報が表示され且つ、筐体の表面に配置される第１表示装置と、広告情報が表示される表示画面を持ち且つ、筐体の裏面に配置される第２表示装置と、広告情報を記憶するメモリと、広告情報を受け入れてメモリに書き込み且つ、メモリから読み取った広告情報に対応する表示が表示画面に表示されるように第２表示装置の表示制御を行う内部コンピュータを備えるものである。
【０００７】
さらに特許文献３（特願２００２−１３５３９４号公報）には、携帯通信端末機用にデザイン以外の新機能を付加できる携帯通信端末機用付属具について開示されている。
【０００８】
特許文献３記載の携帯通信機用付属具は、携帯通信端末機に設けられている外部接続用端子に一体化される付属具であって、付属具は、物を収容できる容器部と、該容器部から突設され、外部接続用端子に着脱自在に構成された接続部と、を少なくとも備えているものである。
【先行技術文献】
【特許文献】
【０００９】
【特許文献１】特開２０１２―１７８０１３号公報
【特許文献２】特開２００２−１８２８２８号公報
【特許文献３】特開２００２−１３５３９４号公報
【発明の概要】
【発明が解決しようとする課題】
【００１０】
以上のように、携帯通信端末に収納ケースの機能を兼ね備えたものが考え出されている。しかしながら、錠剤を服用する時間および個数を認識していても忘却する場合がある。
【００１１】
本発明の目的は、服用の忘却を防止できる収納容器および開閉報知付き収納容器セットを提供することである。
【課題を解決するための手段】
【００１２】
（１）
一局面に従う収納容器は、１または複数の開閉部を有し、錠剤を収納する収納部と、開閉部の開閉を検知する検知部と、外部端末に検知部の検知結果を送信する通信部と、を含むものである。
【００１３】
この場合、収納部に錠剤を収納することができる。検知部により開閉部の開閉が検知され、通信部により外部端末に検知結果が送信される。
その結果、外部端末に錠剤の取り出し有無を送信することができる。したがって、服用の忘却を防止することができる。
【００１４】
（２）
第２の発明に係る収納容器は、一局面に従う収納容器において、内部に時計をさらに含み、通信部は、時計の情報に応じて検知部の検知結果を通信してもよい。
【００１５】
この場合、収納容器の通信部は、内部の時計の情報に応じて検知部の検知結果を通信する。その結果、時間に応じて開閉の検知結果を送信することができる。例えば、朝、昼、晩または朝食後、昼食後、晩飯後、食間等時間に応じて検知結果を通信することができる。
【００１６】
（３）
第３の発明に係る収納容器は、一局面または第２の発明に係る収納容器において、外部端末からの設定情報を記録する記録部をさらに含み、記録部の設定情報に応じて通信部が検知部の検知結果を通信してもよい。
【００１７】
この場合、記録部の設定情報に応じて通信部が検知結果を送信することができる。その結果、開閉の検知結果を繰り返し送信することができる。また、開閉の記録を確認することができる。
【００１８】
（４）
第４の発明に係る収納容器は、一局面から第３の発明に係る収納容器において、検知部は、ＲＦＩＤ（Ｒａｄｉｏ  ｆｒｅｑｕｅｎｃｙ  ｉｄｅｎｔｉｆｉｃａｔｉｏｎ）からなってもよい。
【００１９】
この場合、検知部は、ＲＦＩＤ（Ｒａｄｉｏ  ｆｒｅｑｕｅｎｃｙ  ｉｄｅｎｔｉｆｉｃａｔｉｏｎ）またはＩＣタグからなる。この場合、収納容器を小型で形成することができる。
【００２０】
（５）
他の局面に従う開閉報知付き収納容器セットは、請求項１から４のいずれか１項に記載の収納容器と、収納容器の通信部と通信する通信部および検知結果を報知する報知部を含む外部端末と、を含んでもよい。
【００２１】
この場合、外部端末の報知部に通信部と通信された検知結果が報知される。
その結果、ユーザは、外部端末の報知部に表示または音声、振動により報知された検知結果を確認し、錠剤を服用したか否かを認識することができる。
【００２２】
（６）
第６の発明に係る開閉報知付き収納容器セットは、他の局面に従う開閉報知付き収納容器セットにおいて、報知部は、収納容器と所定の距離以上離れた場合に報知してもよい。
【００２３】
この場合、外部端末と収納容器とが、所定の距離以上離れた場合に報知されるために、外出時に収納容器を忘れることを防止することができる。その結果、錠剤の服用忘れを防止することができる。
【００２４】
（７）
第７の発明に係る開閉報知付き収納容器セットは、他の局面または第６の発明に係る開閉報知付き収納容器セットにおいて、報知部は、収納容器の設定情報に応じて警告報知を行ってもよい。
【００２５】
この場合、報知部は、収納容器の設定情報に応じて警告報知を行うことができるので、容易にユーザの服用忘却を防止することができる。
【図面の簡単な説明】
【００２６】
【図１】本実施の形態にかかる収納容器の一例を示す模式図である。
【図２】開閉報知付き収納容器セットの一例を示す模式図である。
【図３】開閉報知付き収納容器セットにおける処理の一例を示すフローチャートである。
【図４】収納容器と携帯通信端末とが所定の距離以上に離れた場合の処理の一例を示すフローチャートである。
【発明を実施するための形態】
【００２７】
以下、図面を参照しつつ、本発明の実施の形態について説明する。以下の説明では、同一の部品には同一の符号を付す。また、同符号の場合には、それらの名称および機能も同一である。したがって、それらについての詳細な説明は繰り返さないものとする。
【００２８】
（実施の形態）
まず、図１は本実施の形態にかかる収納容器１００の一例を示す模式図であり、図２は、開閉報知付き収納容器セット５００の一例を示す模式図である。
【００２９】
図１に示すように、収納容器１００は、矩形状の容器からなる。本実施の形態においては、収納容器１００は、ポリプロピレン等の樹脂からなる。なお、本実施の形態においては、ポリプロピレンからなることとしたが、これに限定されず、他の任意の樹脂からなってもよい。
また、矩形状に限定されず、放射状に個々の収納容器が配列された円形状の収納容器、その他任意の形状の収納容器であってもよい。
【００３０】
収納容器１００は、収容部１１０、開閉部１２０、ＩＣタグ１３０、通信部１４０、記録部１５０および時計１６０を含む。
また、開閉報知付き収納容器セット５００は、収納容器１００および携帯通信端末６００を含む。
また、携帯通信端末６００は、通信部６２０および報知部６３０を含む。ここで、報知部６３０とは、表示部６３１、スピーカ６３２および振動部６３３を含む。
【００３１】
図１に示すように、収納容器１００は、複数の収容部１１０に対して、個々に開閉部１２０が設けられている。
また、開閉部１２０の個々にＩＣタグ１３０が設けられている。また、ＩＣタグ１３０の結果が記録部１５０に記録されるとともに、通信部１４０により携帯通信端末６００に送信することができる。
【００３２】
また、携帯通信端末６００の報知部６３０は、通信部１４０より得られた検知結果を表示する。
報知部６３０は、検知結果を報知する。その結果、ユーザは、検知結果を確認することができる。例えば、ユーザは、報知部６３０により錠剤を服用すべきか否かを認識することができる。特に、錠剤の服用忘れを防止することができる。
【００３３】
また、図２に示すように、携帯通信端末６００および収納容器１００は、相互に定期的に通信を行っており、携帯通信端末６００と収納容器１００とが、５ｍ以上離れた場合に、携帯通信端末６００の報知部６３０によりユーザに対して報知される。報知部６３０とは、表示ディスプレイ、音声装置、および振動装置の少なくとも１つを含むものである。
なお、本実施の形態においては、５ｍ以上離れた場合に報知されることとしたが、これに限定されず、３０ｃｍ以上２０ｍ以下の範囲のいずれであってもよい。
【００３４】
次に、図３は、開閉報知付き収納容器セット５００における処理の一例を示すフローチャートである。
【００３５】
図３に示すように、まず、ユーザは、携帯通信端末６００を用いて収納容器１００の記録部１５０に錠剤を内服する時間および個数を記録する（ステップＳ１）。
例えば、「朝飯後の７時半に３個、晩飯後の１９時半に２個内服する」、「朝飯後の８時に１個、食間の１０時半に１個、晩飯後の２０時半に１個内服する」等である。
【００３６】
次いで、収納容器１００は、時計１６０の時間情報に応じて設定時間に到達した場合に、通信部１４０を介して携帯通信端末６００と通信を行う（ステップＳ２）。携帯通信端末６００は、報知部６３０に錠剤の個数を表示させるとともに、音または振動でユーザに報知する（ステップＳ３）。
【００３７】
ここで、収納容器１００は、所定個数の開閉部１２０が開閉されたか否かを判定する（ステップＳ４）。
収納容器１００は、所定個数の開閉部１２０が開閉されていないと判定した場合には、警告報知を行い（ステップＳ５）、ステップＳ４の処理を繰り返す。
すなわち、ユーザが服用を忘却している場合である。
【００３８】
なお、収納容器１００は、連続してステップＳ５およびステップＳ４の処理を繰り返すのみでなく、所定の時間間隔をあけて繰り返し処理を行ってもよい。すなわち、ユーザが錠剤を服用する準備をしている場合も想定できるからである。例えば、５分毎であってもよく、１０分毎であってもよい。
また、３０分経過しても、所定個数の開閉部１２０が開閉されていない場合に携帯通信端末６００がユーザに対して大きな音および振動で、ステップＳ５の処理の警告報知を再度行ってもよい。  
【００３９】
収納容器１００は、所定個数の開閉部１２０が開閉されたと判定した場合には、処理を終了し、ステップＳ２の処理に戻り、処理を繰り返す。
【００４０】
続いて、図４は、収納容器１００と携帯通信端末６００とが所定の距離以上に離れた場合の処理の一例を示すフローチャートである。
【００４１】
図４に示すように、収納容器１００と携帯通信端末６００とは、定期的に通信を行う（ステップＳ１１）。
次に、収納容器１００と携帯通信端末６００とが所定の距離以上離れたか否かを判定する（ステップＳ１２）。
【００４２】
収納容器１００と携帯通信端末６００とが所定の距離以上離れていないと判定した場合、ステップＳ１１の処理に戻り、処理を繰り返す。
一方、収納容器１００と携帯通信端末６００とが所定の距離以上離れた場合、携帯通信端末６００が警告報知を行う（ステップＳ１３）。
【００４３】
なお、当該図４の処理は、解除できるようにしてもよい。すなわち、当該処理は、自宅から外出する際に、収納容器１００を忘れないようにするためのものであるが、自宅において携帯通信端末６００のみを使用する場合があるからである。
【００４４】
また、収納容器１００と携帯通信端末６００とが所定距離以上離れた場合とは、収納容器１００と携帯通信端末６００とが定期的な通信ができない状態において所定の距離以上離れたと判定してもよい。
さらに、定期的な通信は、外出時間または通信時間において頻度を上げてもよく、携帯通信端末６００を持ち運ぶ状態、すなわち携帯通信端末６００に内蔵された傾斜センサ、ジャイロセンサ等の出力信号が多い場合に頻度をあげてもよい。
【００４５】
以上のように、本発明に係る収納容器１００においては、収容部１１０に錠剤を収容することができる。また、ＩＣタグ１３０により開閉部１２０の開閉が検知され、通信部１４０により携帯通信端末６００に検知結果が送信される。すなわち、開閉されたか否かが送信される。
その結果、携帯通信端末６００に錠剤の取り出し有無を送信することができる。したがって、ユーザは、錠剤の服用の忘却を防止することができる。
【００４６】
また、収納容器１００の通信部１４０は、内部の時計１６０の情報に応じてＩＣタグ１３０の検知結果を携帯通信端末６００に通信する。その結果、時間に応じて開閉の検知結果を送信することができる。例えば、朝、昼、晩または朝食後、昼食後、晩飯後、食間等時間に応じて検知結果を通信することができる。
【００４７】
さらに、収納容器１００の記録部１５０は、記録部１５０の設定情報に応じて通信部１４０が検知結果を送信することができる。その結果、開閉の検知結果を繰り返し送信することができる。また、開閉の記録を確認することができる。
さらに、設定情報により設定された服用時間、服用個数等に応じて検知結果を送信することができる。
【００４８】
また、ＩＣタグ１３０を用いているので、収納容器１００を小型で形成することができる。
また、収納容器１００および携帯通信端末６００の開閉報知付き収納容器セット５００においては、報知部６３０に通信部１４０，６２０間で通信された検知結果が報知される。その結果、ユーザは、携帯通信端末６００の報知部６３０に表示または音声、振動により報知された検知結果を確認し、錠剤を服用したか否かを認識することができる。
【００４９】
さらに、携帯通信端末６００と収納容器１００とが、所定の距離以上離れた場合に報知される。その結果、外出時に収納容器１００の持ち出し忘れを防止することができる。
なお、錠剤とは、ピルのみならず、他の任意の薬剤であってもよい。また、ユーザは、女性のみならず、お年寄り等、高齢者の方、小学生等服用を忘れやすい方であってもよい。
【００５０】
本発明においては、開閉部１２０が「１または複数の開閉部」に相当し、収容部１１０が「収納部」に相当し、ＩＣタグ１３０が「検知部」に相当し、携帯通信端末６００が「外部端末」に相当し、通信部１４０が「通信部」に相当し、収納容器１００が「収納容器」に相当し、時計１６０が「時計」に相当し、記録部１５０が「記録部」に相当し、通信部６２０が「収納容器の通信部と通信する通信部」に相当し、報知部６３０が「報知部」に相当し、開閉報知付き収納容器セット５００が「開閉報知付き収納容器セット」に相当する。
【００５１】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００５２】
１００  収納容器
１１０  収容部
１２０  開閉部
１３０  ＩＣタグ
１４０  通信部
１５０  記録部
１６０  時計
５００  開閉報知付き収納容器セット
６００  携帯通信端末
６２０  通信部
６３０  報知部
【図１】
0006467248.tif 000002
【図２】
0006467248.tif 000003
【図３】
0006467248.tif 000004
【図４】
0006467248.tif 000005